(57)【要約】【課題】この考案は、腹筋力を利用し、指圧球体に圧力を付け指圧行為をするので、手を使ったり体を押し付けたりする事がないため、家の内外何処でも携帯が出来、手を使わず動き回れるので、仕事中でも時間の制約を受ける事なく指圧行為が出来る。【解決手段】この考案は、腹筋力を利用するので、いかにして腹筋力を無駄なく指圧球体に伝えるかが課題でしたので、指圧帯は伸縮の無い布、指圧球体も硬い材質、指圧球体を押す部分に硬い板を付け、腹筋力の圧力を損なわないようにした。【選択図】図４
0003134835.tif 000002
【実用新案登録請求の範囲】
【請求項１】
腹筋力を利用した指圧帯なので、指圧球体に指圧可能な圧力を生じさせるために、指圧帯の素材は伸縮の無い布を使う、又指圧帯の固定にはマジックテープを使い、緩まないようにする事を特徴とする携帯式指圧帯。
【請求項２】
指圧球体に、圧力を生じさせるため、球体は硬い材質の物を使い、球体を固定したり、出し入れしたり出来るように、伸縮する布袋に入れ、球体を押す部分の指圧帯に、硬い板状な物を入れ、指圧球体の押す圧力を高めるのを特徴とする携帯式指圧帯。
【考案の詳細な説明】
【技術分野】
【０００１】  この考案は、腹部に指圧帯を巻き、腹筋力を利用し、指圧球体に圧力を付け、指圧をする物です。
【背景技術】
【０００２】  現在、持ち運びの出来る指圧器具はたくさん使われているが、いずれも手を使ったり、体を押し付けたりして使うので、行動の制約を受けることになるから、指圧で癒しを求めたくても使えない人も居る。
【考案の開示】
【考案が解決しようとする課題】
【０００３】  この考案は、腹筋力を利用して指圧球体に圧力を付けるので、家の内外、何処でも携帯が出来、仕事中手を止める事なく指圧行為が出来る。【０００４】  携帯式ですので、指圧行為を終えた後の事が気になりますが、指圧帯を緩めれば、指圧球体を付けたままでも、腰のくびれに収まり落ちる事がないので、手荷物にならない。【０００５】  指圧行為を止めた後、携帯には指圧帯を緩めるだけでよいが、腹部のたるみを気にする人は、指圧球体を外し、指圧帯を腹部のコルセット代わりに使う事も出来る。【０００６】  指圧行為を止めた後、指圧帯を緩め，指圧球体を付けたまま、椅子の背に押し当てて座って仕事をしていると、背骨の変形予防になり、腰痛の予防にもなる。【０００７】  この携帯式指圧帯は、腹筋力を利用して指圧力を出すので、いかにして腹筋力を無駄なく指圧球体に伝えるかが課題であった。
【課題を解決するための手段】
【０００８】  上記の課題を解決するために、以下の構成とした、腹筋力が弱まらない様に、指圧帯の布は、伸縮の無い布を使い、指圧球体を押す部分には、指圧球体の圧力を損なわない様に硬い板を付けた。
【考案の効果】
【０００９】  この携帯式指圧帯は、腹筋力を利用するので、反対側の背中の部分しか指圧が出来ないが、背中には、体の疲れを癒す重要なツボが有るので、体の一部であっても疲れを癒すことが出来る。
【実施例】
【００１０】  市販されている腰痛予防のコルセットを使い、簡単な指圧帯を作り試着してみて感じた事を説明する。【００１１】  腹筋力は歩く時も使うので、散歩の時に指圧帯を付けて歩くと、指圧球体が背中のツボとおぼしき所を指圧してくれるので、心地良くしてくれる、しかし腹筋力に腹式呼吸の息ずかいが伝わり、指圧力が増すので指圧帯はゆるめにしたほうが良い。
【図面の簡単な説明】
【００１２】
【図１】  指圧帯平面図
【図２】  指圧球体取付け部分図
【図３】  指圧球体取付け部分の縦面図
【図４】  指圧帯取付け部分の横断図
【符号の説明】
【００１３】  １  指圧帯
２  マジックテープ
３  指圧球体入れ布袋
４  指圧球体
５  硬板
【図１】
0003134835.tif 000003
【図２】
0003134835.tif 000004
【図３】
0003134835.tif 000005
【図４】
0003134835.tif 000006
【手続補正書】
【提出日】平成19年3月15日(2007.3.15)
【手続補正１】
【補正対象書類名】実用新案登録請求の範囲
【補正対象項目名】全文
【補正方法】変更
【補正の内容】
【実用新案登録請求の範囲】
【請求項１】
本考案は、腹筋力を利用した指圧帯で、指圧方法は、胴回りに指圧帯を巻き、腹筋力で、腹部を前後させる動きを圧力とし、指圧帯の背中に当たる部分に付けた指圧球体で指圧する物なので、指圧球体に腹筋力の圧力伝えなければならない。
考案としては指圧帯の素材は伸縮の無い布を使い、腹筋力で腹部の前後させる動きを無駄なく取り込む為に、腹部に当たる部分の指圧帯の幅を広くした、又指圧帯の固定にはマジックテープ（登録商標）を使い、異なった体形の人でも指圧帯の長さ調整が出来るのを特徴とした携帯式指圧帯。
【請求項２】
本考案は、腹筋力を利用した指圧帯なので、腹筋圧力を指圧球体に伝える為、伸縮の無い布を使うが、直接指圧に使う指圧球体の素材も、携帯式ですから軽くて表面の硬い球体を使う（ピンポン球の様な物）又指圧球体が外れたり落ちたりしない様に、指圧球体の付ける所に布袋を付けた。
考案としては、腹筋力も腹部から遠くなると圧力が落ちるので、指圧帯の、背中部分の指圧球体を押す所に、硬い板を指圧帯で包み、指圧球体を押す圧力を損なわない様にするのを特徴とした携帯式指圧帯。
【手続補正２】
【補正対象書類名】明細書
【補正対象項目名】全文
【補正方法】変更
【補正の内容】
【考案の詳細な説明】
【技術分野】
【０００１】  この考案は、腹部に指圧帯を巻き、腹筋力により腹部の前後する動きを圧力とし、反対側の背中部分に当たる指圧球体で指圧するものなので、指圧圧力を損なわない様な素材、及び方法を考案したものです。
【背景技術】
【０００２】  指圧で、身体の疲れを癒す事は良く知られていますので、数多くの指圧器具が出回っています、中に携帯式の指圧器具も有りますが、今のところ手足を使ったり、身体を押し付けたりする物が多いいので、時間の余裕が無いと使えない。
【考案の開示】
【考案が解決しようとする課題】
【０００３】  この考案は、腹筋力を利用するので、家の内外、何処えでも携帯が出来、仕事中でも手を止める事無く指圧が出来るので、時間の制約を受けない。【０００４】  現在持ち歩きの出来る指圧器具はたくさん出ているが、いずれも手を使ったり身体を押し付けたりして使うものですから、行動の制約を受ける事になり、指圧で癒しを求めたくても利用できる器具が無い。
【課題を解決するための手段】
【０００５】  考案の携帯式指圧帯は、腹筋力を利用して指圧力を出すので、素材となる指圧帯が、伸びたりして、腹筋力を弱めないために、伸縮の無い布を使う。【０００６】  腹筋力を有効に取り込むため、指圧帯の、腹部に当たる所の布の幅を広くした、又体形の異なる人の為に、長さ調整が簡単に出来るように、マジックテープ（登録商標）を使う（図面  図１の１・２）【０００７】  指圧球体を付ける部分の指圧帯には指圧球体の圧力を損なわない様に（図面  図３の５）に示した様に、硬い板を包み込み、指圧球体の押す圧力を弱めない様にした。【０００８】  携帯式ですので、指圧を終えた後の事が気になりますが、指圧帯を緩めれば、指圧球体を付けたままでも、腰のくびれに収まり、落ちる事が無いので、手荷物にならない。【０００９】  指圧を終えた後、携帯には、指圧帯を緩めるだけで良いが、気になる人の為に、背中に当たる指圧球体を外せる様に、指圧帯の背中部分に布袋を付けた。
【考案の効力】
【００１０】  考案の携帯式指圧帯は、腹筋力を利用するので、反対側の背中部分の指圧しか出来ないが、背中には、身体の疲れを癒す重要な、人体のツボが有るので、身体の一部であっても疲れを癒す事が出来る。
【実施例】
【００１１】  試作品を腹部に巻き指圧をしてみると、背中にある、人体のツボらしき所を刺激して、心地よくしてくれる、又腹式呼吸の息を加えると指圧圧力が増す。
【図面の簡単な説明】
【００１２】
【図１】  指圧帯平面図、図中１は伸縮の無い布で、腹部は幅広くする、２はマジックテープ（登録商標）
【図２】  指圧球体取付け部分の拡大図、図中３は球体を固定させる布袋。
【図３】  指圧球体取付け部分の拡大図の縦面図、図中４は指圧球体  ５は硬い板。
【図４】  指圧帯取付け部分の、胴体の断面図。
【符号の説明】
【００１３】    １  指圧帯
２  マジックテープ（登録商標）
３  固定用布袋
４  指圧球体
５  硬い板
【手続補正書】
【提出日】平成19年6月5日(2007.6.5)
【手続補正１】
【補正対象書類名】実用新案登録請求の範囲
【補正対象項目名】全文
【補正方法】変更
【補正の内容】
【実用新案登録請求の範囲】
【請求項１】
本考案は、腹筋力を利用した携帯式指圧帯で、考案としては、指圧帯の素材に伸縮の無い布を使い、腹部に当たる部分を幅広くし、指圧帯の固定にはマジックテープ（登録商標）を使った携帯式指圧帯。
【請求項２】
本考案は、腹筋力を利用した携帯式指圧帯で、考案としては、指圧帯の背中部分に当たる、指圧球体を付ける所に硬い板を指圧帯で包み、指圧球体を押す圧力を損なわないようにするのを特徴とした携帯式指圧帯。